(57)【特許請求の範囲】
【請求項１】
直接的な端末間通信であるＤ２Ｄ通信を含むＤ２Ｄ近傍サービスをサポートする移動通信システムにおいて用いられる通信制御方法であって、
第１の基地局が、前記第１の基地局の隣接基地局である第３の基地局に対して、前記第１の基地局において前記Ｄ２Ｄ近傍サービスに使用される第１のＤ２Ｄリソースに関する第１リソースメッセージを送信するステップを備え、
前記第１リソースメッセージは、前記第１のＤ２Ｄリソース及び前記第１の基地局の隣接基地局である第２の基地局において前記Ｄ２Ｄ近傍サービスに使用される第２のＤ２Ｄリソースの情報を含むことを特徴とする通信制御方法。
【請求項２】
前記第１の基地局が、前記第２のＤ２Ｄリソースに関する第２リソースメッセージを受信するステップをさらに備えることを特徴とする請求項１に記載の通信制御方法。
【請求項３】
前記第２リソースメッセージを受信するステップにおいて、前記第１の基地局は、前記第２の基地局においてＤ２Ｄ無線信号の送信に使用可能な第２のＤ２Ｄ送信リソースを示す情報を含む前記第２リソースメッセージを受信し、
前記第１のＤ２Ｄリソース及び前記第２のＤ２Ｄリソースの情報は、前記第１の基地局においてＤ２Ｄ無線信号の送信に使用可能な第１のＤ２Ｄ送信リソースを示す情報と前記第２のＤ２Ｄ送信リソースを示す情報とであることを特徴とする請求項２に記載の通信制御方法。
【請求項４】
前記第１のＤ２Ｄリソース及び前記第２のＤ２Ｄリソースの情報は、前記第１の基地局においてＤ２Ｄ無線信号の送信に使用可能な第１のＤ２Ｄ送信リソースを示す情報と、前記第２の基地局においてＤ２Ｄ無線信号の送信に使用可能な第２のＤ２Ｄ送信リソースを示す情報とであり、
前記通信制御方法は、
前記第３の基地局が、前記第１リソースメッセージに基づいて、前記第１のＤ２Ｄ送信リソースと前記第２のＤ２Ｄ送信リソースとに対応する無線リソースを、前記第３の基地局においてＤ２Ｄ無線信号の受信に使用可能な第３のＤ２Ｄ受信リソースに追加することによって、新たな第３のＤ２Ｄ受信リソースを設定するステップをさらに備えることを特徴とする請求項１に記載の通信制御方法。
【請求項５】
前記第１リソースメッセージを送信するステップにおいて、前記第１の基地局は、前記第２のＤ２Ｄ送信リソースが前記第１のＤ２Ｄ送信リソースの範囲内である場合、前記第１のＤ２Ｄ送信リソースを示す情報を含み、且つ前記第２のＤ２Ｄ送信リソースを示す情報を含まない前記第１リソースメッセージを送信することを特徴とする請求項３に記載の通信制御方法。
【請求項６】
前記第２リソースメッセージは、前記第２の基地局においてＤ２Ｄ無線信号の送信に使用可能な第２のＤ２Ｄ送信リソースを示す情報と、前記第１の基地局の隣接基地局でなく且つ第２の基地局の隣接基地局である第４の基地局においてＤ２Ｄ無線信号の送信に使用可能な第４のＤ２Ｄ送信リソースを示す情報と、を含み、
前記第１リソースメッセージを送信するステップにおいて、前記第１の基地局は、前記第４のＤ２Ｄ送信リソースを示す情報をさらに含む前記第１リソースメッセージを送信することを特徴とする請求項３に記載の通信制御方法。
【請求項７】
前記第１リソースメッセージを送信するステップにおいて、前記第１の基地局は、前記第４のＤ２Ｄ送信リソースが前記第２のＤ２Ｄ送信リソースの範囲内である場合、前記第２のＤ２Ｄ送信リソースを示す情報を含み、且つ前記第４のＤ２Ｄ送信リソースを示す情報を含まない前記第１リソースメッセージを送信することを特徴とする請求項６に記載の通信制御方法。
【請求項８】
前記第２リソースメッセージを受信するステップにおいて、前記第１の基地局は、前記な第２のＤ２Ｄ送信リソースを示す情報に加えて、前記第１の基地局の隣接基地局でない第５の基地局においてＤ２Ｄ無線信号の送信に使用可能な第５のＤ２Ｄ送信リソースを示す情報をさらに含む前記第２リソースメッセージを受信し、
前記第１リソースメッセージは、前記第１のＤ２Ｄリソース及び前記第２のＤ２Ｄリソースの情報に加えて、前記第５のＤ２Ｄ送信リソースを示す情報を含み、
前記通信制御方法は、
前記第３の基地局が、前記第５のＤ２Ｄ送信リソースを示す情報のホップ数が、上限値以下である場合にのみ、前記第５のＤ２Ｄ送信リソースに対応する無線リソースを、前記第３の基地局においてＤ２Ｄ無線信号の受信に使用可能な第３のＤ２Ｄ受信リソースに追加することによって、新たな第３のＤ２Ｄ受信リソースを設定するステップをさらに備えることを特徴とする請求項３に記載の通信制御方法。
【請求項９】
前記第２リソースメッセージを受信するステップにおいて、前記第１の基地局が、前記第２の基地局においてＤ２Ｄ無線信号の受信に使用可能な第２のＤ２Ｄ受信リソースを示す情報を含む前記第２リソースメッセージを受信し、
前記通信制御方法は、
前記第１の基地局が、前記第２リソースメッセージに基づいて、前記第２のＤ２Ｄ受信リソースに対応する無線リソースを、前記第１の基地局においてＤ２Ｄ無線信号の受信に使用可能な第１のＤ２Ｄ受信リソースに追加することによって、新たな第１のＤ２Ｄ受信リソースを設定するステップをさらに備え、
前記第１のＤ２Ｄリソース及び前記第２のＤ２Ｄリソースの情報は、前記新たな第１のＤ２Ｄ受信リソースを示す情報であることを特徴とする請求項２に記載の通信制御方法。
【請求項１０】
前記第３の基地局が、前記第１リソースメッセージに基づいて、前記新たな第１のＤ２Ｄ受信リソースに対応する無線リソースを、前記第３の基地局においてＤ２Ｄ無線信号の受信に使用可能な第３のＤ２Ｄ受信リソースに追加することによって、新たな第３のＤ２Ｄ受信リソースを設定するステップをさらに備えることを特徴とする請求項９に記載の通信制御方法。
【請求項１１】
前記第３のＤ２Ｄ受信リソースを設定するステップにおいて、前記第３の基地局は、前記第３のＤ２Ｄ受信リソースの範囲を制限する制限情報に基づいて、前記新たな第３のＤ２Ｄ受信リソースを設定することを特徴とする請求項１０に記載の通信制御方法。
【請求項１２】
前記第３の基地局が、自セルに在圏するユーザ端末から、Ｄ２Ｄ無線信号の受信に成功した無線リソースの情報を含むリソース報告を受信するステップをさらに備え、
前記新たな第３のＤ２Ｄ受信リソースを設定するステップにおいて、前記第３の基地局は、前記リソース報告に基づいて、前記Ｄ２Ｄ無線信号の受信に成功した無線リソースに対応しない無線リソースを、前記第３のＤ２Ｄ受信リソースから削減することによって、前記新たな第３のＤ２Ｄ受信リソースを設定することを特徴とする請求項９に記載の通信制御方法。
【請求項１３】
前記第１のＤ２Ｄリソース及び前記第２のＤ２Ｄリソースの情報は、前記第１の基地局においてＤ２Ｄ無線信号の送信に使用可能な第１のＤ２Ｄ送信リソースを示す情報と、前記第２の基地局においてＤ２Ｄ無線信号の受信に使用可能な第２のＤ２Ｄ受信リソースを示す情報であることを特徴とする請求項１に記載の通信制御方法。
【請求項１４】
前記第１のＤ２Ｄリソース及び前記第２のＤ２Ｄリソースの情報は、前記第１の基地局においてＤ２Ｄ無線信号の受信に使用可能な第１のＤ２Ｄ受信リソースを示す情報と、前記第２の基地局においてＤ２Ｄ無線信号の送信に使用可能な第２のＤ２Ｄ送信リソースを示す情報であることを特徴とする請求項１に記載の通信制御方法。
【請求項１５】
直接的な端末間通信であるＤ２Ｄ通信を含むＤ２Ｄ近傍サービスをサポートする移動通信システムにおいて用いられる基地局であって、
隣接基地局に対して、前記基地局において前記Ｄ２Ｄ近傍サービスに使用される第１のＤ２Ｄリソースに関する第１リソースメッセージを送信する送信部を備え、
前記第１リソースメッセージは、前記第１のＤ２Ｄリソース及び前記隣接基地局とは異なる他の隣接基地局において前記Ｄ２Ｄ近傍サービスに使用される第２のＤ２Ｄリソースの情報を含むことを特徴とする基地局。
【発明の詳細な説明】
【技術分野】
【０００１】
本発明は、移動通信システムにおいて用いられる通信制御方法及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービスの導入が検討されている（非特許文献１参照）。【０００３】
Ｄ２Ｄ近傍サービス（Ｄ２Ｄ  ＰｒｏＳｅ）は、同期がとられた複数のユーザ端末からなる同期クラスタ内で直接的な端末間通信を可能とするサービスである。Ｄ２Ｄ近傍サービスは、近傍端末を発見するＤ２Ｄ発見手順（Ｄｉｓｃｏｖｅｒｙ）と、直接的な端末間通信であるＤ２Ｄ通信（Ｃｏｍｍｕｎｉｃａｔｉｏｎ）と、を含む。
【先行技術文献】
【非特許文献】
【０００４】
【非特許文献１】３ＧＰＰ技術報告書  「ＴＲ  ３６．８４３  Ｖ１．０．０」  ２０１４年１月１６日
【発明の概要】
【発明が解決しようとする課題】
【０００５】
ところで、異なるセルに在圏するユーザ端末間で、Ｄ２Ｄ近傍サービスを利用可能とするために、基地局が、隣接基地局に対して、基地局においてＤ２Ｄ近傍サービスに使用される無線リソース（以下、Ｄ２Ｄリソースと称する）をＸ２インターフェイスを介して通知することが想定される。【０００６】
一方で、基地局は、隣接基地局でない他の基地局とＸ２インターフェイスを介した接続を持たないことが想定されるため、オーバヘッドの増加を抑制するために、隣接基地局に対してのみＤ２Ｄリソースを通知することが好ましい。【０００７】
しかしながら、この場合、基地局のセルと当該他の基地局のセルとが地理的に近い場合であっても、当該他の基地局に基地局からＤ２Ｄリソースが通知されていないため、基地局のセルに在圏するユーザ端末は、当該他の基地局のセルに在圏する他のユーザ端末が送信したＤ２Ｄ近傍サービス用のＤ２Ｄ無線信号を受信できない虞がある。【０００８】
そこで、本願は、オーバヘッドの増加を抑制しつつ、隣接でなく且つ異なるセルに在圏するユーザ端末間で、Ｄ２Ｄ近傍サービス用の無線信号を受信可能とすることを目的とする。
【課題を解決するための手段】
【０００９】
一実施形態に係る通信制御方法は、直接的な端末間通信であるＤ２Ｄ通信を含むＤ２Ｄ近傍サービスをサポートする移動通信システムにおいて用いられる。当該通信制御方法は、第１の基地局が、前記第１の基地局の隣接基地局である第３の基地局に対して、前記第１の基地局において前記Ｄ２Ｄ近傍サービスに使用される第１のＤ２Ｄリソースに関する第１リソースメッセージを送信するステップを備える。前記第１リソースメッセージは、前記第１のＤ２Ｄリソース及び前記第１の基地局の隣接基地局である第２の基地局において前記Ｄ２Ｄ近傍サービスに使用される第２のＤ２Ｄリソースの情報を含む。【００１０】
一実施形態に係る基地局は、直接的な端末間通信であるＤ２Ｄ通信を含むＤ２Ｄ近傍サービスをサポートする移動通信システムにおいて用いられる。前記基地局は、隣接基地局に対して、前記基地局において前記Ｄ２Ｄ近傍サービスに使用される第１のＤ２Ｄリソースに関する第１リソースメッセージを送信する送信部を備える。前記第１リソースメッセージは、前記第１のＤ２Ｄリソース及び前記基地局の他の隣接基地局において前記Ｄ２Ｄ近傍サービスに使用される第２のＤ２Ｄリソースの情報を含む。
【図面の簡単な説明】
【００１１】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、実施形態に係るプロトコルスタック図である。
【図５】図５は、実施形態に係る無線フレームの構成図である。
【図６】図６は、第１実施形態に係る動作を説明するための図である。
【図７】図７は、第１実施形態に係るＤ２Ｄリソース情報の一例を説明するための図である。
【図８】図８は、第１実施形態の変更例に係る動作を説明するための図である。
【図９】図９は、第２実施形態に係る動作を説明するための説明図である。
【発明を実施するための形態】
【００１２】
［実施形態の概要］
第１及び第２実施形態に係る通信制御方法は、直接的な端末間通信であるＤ２Ｄ通信を含むＤ２Ｄ近傍サービスをサポートする移動通信システムにおいて用いられる。当該通信制御方法は、第１の基地局が、前記第１の基地局の隣接基地局である第３の基地局に対して、前記第１の基地局において前記Ｄ２Ｄ近傍サービスに使用される第１のＤ２Ｄリソースに関する第１リソースメッセージを送信するステップを備える。前記第１リソースメッセージは、前記第１のＤ２Ｄリソース及び前記第１の基地局の隣接基地局である第２の基地局において前記Ｄ２Ｄ近傍サービスに使用される第２のＤ２Ｄリソースの情報を含む。
【００１３】
第１及び第２実施形態に係る通信制御方法は、前記第１の基地局が、前記第２のＤ２Ｄリソースに関する第２リソースメッセージを受信するステップをさらに備える。
【００１４】
第１実施形態では、前記第２リソースメッセージを受信するステップにおいて、前記第１の基地局は、前記第２の基地局においてＤ２Ｄ無線信号の送信に使用可能な第２のＤ２Ｄ送信リソースを示す情報を含む前記第２リソースメッセージを受信する。前記第１のＤ２Ｄリソース及び前記第２のＤ２Ｄリソースの情報は、前記第１の基地局においてＤ２Ｄ無線信号の送信に使用可能な第１のＤ２Ｄ送信リソースを示す情報と前記第２のＤ２Ｄ送信リソースを示す情報とである。
【００１５】
第１実施形態では、前記第１のＤ２Ｄリソース及び前記第２のＤ２Ｄリソースの情報は、前記第１の基地局においてＤ２Ｄ無線信号の送信に使用可能な第１のＤ２Ｄ送信リソースを示す情報と、前記第２の基地局においてＤ２Ｄ無線信号の送信に使用可能な第２のＤ２Ｄ送信リソースを示す情報とである。前記通信制御方法は、前記第３の基地局が、前記第１リソースメッセージに基づいて、前記第１のＤ２Ｄ送信リソースと前記第２のＤ２Ｄ送信リソースとに対応する無線リソースを、前記第３の基地局においてＤ２Ｄ無線信号の受信に使用可能な第３のＤ２Ｄ受信リソースに追加することによって、新たな第３のＤ２Ｄ受信リソースを設定するステップをさらに備える。
【００１６】
第１実施形態では、前記第１リソースメッセージを送信するステップにおいて、前記第１の基地局は、前記第２のＤ２Ｄ送信リソースが前記第１のＤ２Ｄ送信リソースの範囲内である場合、前記第１のＤ２Ｄ送信リソースを示す情報を含み、且つ前記第２のＤ２Ｄ送信リソースを示す情報を含まない前記第１リソースメッセージを送信する。
【００１７】
第１実施形態では、前記第２リソースメッセージは、前記第２の基地局においてＤ２Ｄ無線信号の送信に使用可能な第２のＤ２Ｄ送信リソースを示す情報と、前記第１の基地局の隣接基地局でなく且つ第２の基地局の隣接基地局である第４の基地局においてＤ２Ｄ無線信号の送信に使用可能な第４のＤ２Ｄ送信リソースを示す情報と、を含む。前記第１リソースメッセージを送信するステップにおいて、前記第１の基地局は、前記第４のＤ２Ｄ送信リソースを示す情報をさらに含む前記第１リソースメッセージを送信する。
【００１８】
第１実施形態では、前記第１リソースメッセージを送信するステップにおいて、前記第１の基地局は、前記第４のＤ２Ｄ送信リソースが前記第２のＤ２Ｄ送信リソースの範囲内である場合、前記第２のＤ２Ｄ送信リソースを示す情報を含み、且つ前記第４のＤ２Ｄ送信リソースを示す情報を含まない前記第１リソースメッセージを送信する。
【００１９】
第１実施形態では、前記第２リソースメッセージを受信するステップにおいて、前記第１の基地局は、前記な第２のＤ２Ｄ送信リソースを示す情報に加えて、前記第１の基地局の隣接基地局でない第５の基地局においてＤ２Ｄ無線信号の送信に使用可能な第５のＤ２Ｄ送信リソースを示す情報をさらに含む前記第２リソースメッセージを受信する。前記第１リソースメッセージは、前記第１のＤ２Ｄリソース及び前記第２のＤ２Ｄリソースの情報に加えて、前記第５のＤ２Ｄ送信リソースを示す情報を含む。前記通信制御方法は、前記第３の基地局が、前記第５のＤ２Ｄ送信リソースを示す情報のホップ数が、上限値以下である場合にのみ、前記第５のＤ２Ｄ送信リソースに対応する無線リソースを、前記第３の基地局においてＤ２Ｄ無線信号の受信に使用可能な第３のＤ２Ｄ受信リソースに追加することによって、新たな第３のＤ２Ｄ受信リソースを設定するステップをさらに備える。
【００２０】
第２実施形態では、前記第２リソースメッセージを受信するステップにおいて、前記第１の基地局が、前記第２の基地局においてＤ２Ｄ無線信号の受信に使用可能な第２のＤ２Ｄ受信リソースを示す情報を含む前記第２リソースメッセージを受信する。前記通信制御方法は、前記第１の基地局が、前記第２リソースメッセージに基づいて、前記第２のＤ２Ｄ受信リソースに対応する無線リソースを、前記第１の基地局においてＤ２Ｄ無線信号の受信に使用可能な第１のＤ２Ｄ受信リソースに追加することによって、新たな第１のＤ２Ｄ受信リソースを設定するステップをさらに備える。前記第１のＤ２Ｄリソース及び前記第２のＤ２Ｄリソースの情報は、前記新たな第１のＤ２Ｄ受信リソースを示す情報である。
【００２１】
第２実施形態に係る通信制御方法は、前記第３の基地局が、前記第１リソースメッセージに基づいて、前記新たな第１のＤ２Ｄ受信リソースに対応する無線リソースを、前記第３の基地局においてＤ２Ｄ無線信号の受信に使用可能な第３のＤ２Ｄ受信リソースに追加することによって、新たな第３のＤ２Ｄ受信リソースを設定するステップをさらに備える。
【００２２】
第２実施形態では、前記第３のＤ２Ｄ受信リソースを設定するステップにおいて、前記第３の基地局は、前記第３のＤ２Ｄ受信リソースの範囲を制限する制限情報に基づいて、前記新たな第３のＤ２Ｄ受信リソースを設定する。
【００２３】
第２実施形態に係る通信制御方法は、前記第３の基地局が、自セルに在圏するユーザ端末から、Ｄ２Ｄ無線信号の受信に成功した無線リソースの情報を含むリソース報告を受信するステップをさらに備える。前記新たな第３のＤ２Ｄ受信リソースを設定するステップにおいて、前記第３の基地局は、前記リソース報告に基づいて、前記Ｄ２Ｄ無線信号の受信に成功した無線リソースに対応しない無線リソースを、前記第３のＤ２Ｄ受信リソースから削減することによって、前記新たな第３のＤ２Ｄ受信リソースを設定する。
【００２４】
その他実施形態では、前記第１のＤ２Ｄリソース及び前記第２のＤ２Ｄリソースの情報は、前記第１の基地局においてＤ２Ｄ無線信号の送信に使用可能な第１のＤ２Ｄ送信リソースを示す情報と、前記第２の基地局においてＤ２Ｄ無線信号の受信に使用可能な第２のＤ２Ｄ受信リソースを示す情報である。
【００２５】
その他実施形態では、前記第１のＤ２Ｄリソース及び前記第２のＤ２Ｄリソースの情報は、前記第１の基地局においてＤ２Ｄ無線信号の受信に使用可能な第１のＤ２Ｄ受信リソースを示す情報と、前記第２の基地局においてＤ２Ｄ無線信号の送信に使用可能な第２のＤ２Ｄ送信リソースを示す情報である。
【００２６】
第１及び第２実施形態に係る基地局は、直接的な端末間通信であるＤ２Ｄ通信を含むＤ２Ｄ近傍サービスをサポートする移動通信システムにおいて用いられる。当該基地局は、隣接基地局に対して、前記基地局において前記Ｄ２Ｄ近傍サービスに使用される第１のＤ２Ｄリソースに関する第１リソースメッセージを送信する送信部と、を備える。前記第１リソースメッセージは、前記第１のＤ２Ｄリソース及び前記他の隣接基地局において前記Ｄ２Ｄ近傍サービスに使用される第２のＤ２Ｄリソースの情報を含む。
【００２７】
［第１実施形態］
以下において、本発明をＬＴＥシステムに適用する場合の実施形態を説明する。
【００２８】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２９】
ＵＥ１００は、ユーザ端末に相当する。ＵＥ１００は、移動型の通信装置であり、接続先のセル（サービングセル）との無線通信を行う。ＵＥ１００の構成については後述する。
【００３０】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３１】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３２】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００とを含む。
【００３３】
ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３４】
ＯＡＭ４００は、オペレータによって管理されるサーバ装置であり、Ｅ−ＵＴＲＡＮ１０の保守及び監視を行う。
【００３５】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３６】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３８】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、制御部に相当し、後述する各種の処理及び各種の通信プロトコルを実行する。
【００３９】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）をプロセッサ２４０’としてもよい。
【００４０】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４２】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、制御部に相当し、後述する各種の処理及び各種の通信プロトコルを実行する。
【００４３】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４４】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４５】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００４６】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４７】
ＰＤＣＰ層は、ヘッダ圧縮・伸張、及び暗号化・復号化を行う。
【００４８】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４９】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５０】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５１】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００５２】
（Ｄ２Ｄ近傍サービス）
以下において、Ｄ２Ｄ近傍サービスについて説明する。実施形態に係るＬＴＥシステムは、Ｄ２Ｄ近傍サービスをサポートする。Ｄ２Ｄ近傍サービスについては非特許文献１に記載されているが、ここではその概要を説明する。
【００５３】
Ｄ２Ｄ近傍サービス（Ｄ２Ｄ  ＰｒｏＳｅ）は、同期がとられた複数のＵＥ１００からなる同期クラスタ内で直接的なＵＥ間通信を可能とするサービスである。Ｄ２Ｄ近傍サービスは、近傍ＵＥを発見するＤ２Ｄ発見手順（Ｄｉｓｃｏｖｅｒｙ）と、直接的なＵＥ間通信であるＤ２Ｄ通信（Ｃｏｍｍｕｎｉｃａｔｉｏｎ）と、を含む。Ｄ２Ｄ通信は、Ｄｉｒｅｃｔ  ｃｏｍｍｕｎｉｃａｔｉｏｎとも称される。
【００５４】
同期クラスタを形成する全ＵＥ１００がセルカバレッジ内に位置するシナリオを「カバレッジ内（Ｉｎ  ｃｏｖｅｒａｇｅ）」という。同期クラスタを形成する全ＵＥ１００がセルカバレッジ外に位置するシナリオを「カバレッジ外（Ｏｕｔ  ｏｆ  ｃｏｖｅｒａｇｅ）」という。同期クラスタのうち一部のＵＥ１００がセルカバレッジ内に位置し、残りのＵＥ１００がセルカバレッジ外に位置するシナリオを「部分的カバレッジ（Ｐａｒｔｉａｌ  ｃｏｖｅｒａｇｅ）」という。
【００５５】
カバレッジ内では、例えばｅＮＢ２００がＤ２Ｄ同期元となる。Ｄ２Ｄ非同期元は、Ｄ２Ｄ同期信号を送信せずにＤ２Ｄ同期元に同期する。Ｄ２Ｄ同期元であるｅＮＢ２００は、Ｄ２Ｄ近傍サービスに使用可能な無線リソースを示すＤ２Ｄリソース情報を、ブロードキャスト信号により送信する。Ｄ２Ｄリソース情報は、例えば、Ｄ２Ｄ発見手順に使用可能な無線リソースを示す情報（Ｄｉｓｃｏｖｅｒｙリソース情報）及びＤ２Ｄ通信に使用可能な無線リソースを示す情報（Ｃｏｍｍｕｎｉｃａｔｉｏｎリソース情報）を含む。Ｄ２Ｄ非同期元であるＵＥ１００は、ｅＮＢ２００から受信するＤ２Ｄリソース情報に基づいて、Ｄ２Ｄ発見手順及びＤ２Ｄ通信を行う。
【００５６】
カバレッジ外又は部分的カバレッジでは、例えばＵＥ１００がＤ２Ｄ同期元となる。カバレッジ外では、Ｄ２Ｄ同期元であるＵＥ１００は、Ｄ２Ｄ近傍サービスに使用可能な無線リソースを示すＤ２Ｄリソース情報を、例えばＤ２Ｄ同期信号により送信する。Ｄ２Ｄ同期信号は、端末間同期を確立するＤ２Ｄ同期手順において送信される信号である。Ｄ２Ｄ同期信号は、Ｄ２ＤＳＳ及び物理Ｄ２Ｄ同期チャネル（ＰＤ２ＤＳＣＨ）を含む。Ｄ２ＤＳＳは、時間・周波数の同期基準を提供する信号である。ＰＤ２ＤＳＣＨは、Ｄ２ＤＳＳよりも多くの情報を運搬する物理チャネルである。ＰＤ２ＤＳＣＨは、上述したＤ２Ｄリソース情報（Ｄｉｓｃｏｖｅｒｙリソース情報、Ｃｏｍｍｕｎｉｃａｔｉｏｎリソース情報）を運搬する。或いは、Ｄ２ＤＳＳにＤ２Ｄリソース情報を関連付けることにより、ＰＤ２ＤＳＣＨを不要としてもよい。
【００５７】
Ｄ２Ｄ発見手順は、主にＤ２Ｄ通信をユニキャストで行う場合に利用される。一のＵＥ１００は、他のＵＥ１００とのＤ２Ｄ通信を開始しようとする場合に、Ｄ２Ｄ発見手順に使用可能な無線リソースのうち何れかの無線リソースを用いて、Ｄｉｓｃｏｖｅｒｙ信号（Ｄ２Ｄ発見信号）を送信する。当該他のＵＥ１００は、当該一のＵＥ１００とのＤ２Ｄ通信を開始しようとする場合に、Ｄ２Ｄ発見手順に使用可能な無線リソース内でＤｉｓｃｏｖｅｒｙ信号をスキャンし、Ｄｉｓｃｏｖｅｒｙ信号を受信する。Ｄｉｓｃｏｖｅｒｙ信号は、当該一のＵＥ１００がＤ２Ｄ通信に使用する無線リソースを示す情報を含んでもよい。
【００５８】
（第１実施形態に係る動作）
以下において、第１実施形態に係る動作について、図６−図８を用いて説明する。図６は、第１実施形態に係る動作を説明するための図である。図７は、第１実施形態に係るＤ２Ｄリソース情報の一例を説明するための図である。
【００５９】
（Ａ）動作環境
図６に示すように、第１実施形態に係る移動通信システムは、ｅＮＢ２００−１、ｅＮＢ２００−２、ｅＮＢ２００−３、ＵＥ１００−２及びＵＥ１００−３を有する。
【００６０】
ｅＮＢ２００−１は、ｅＮＢ２００−２及びｅＮＢ２００−３の隣接基地局である。従って、ｅＮＢ２００−１が管理するセル２５０−１は、ｅＮＢ２００−２が管理するセル２５０−２及びｅＮＢ２００−３が管理するセル２５０−３のそれぞれと隣接する。ｅＮＢ２００−１は、ｅＮＢ２００−２及びｅＮＢ２００−３のそれぞれとＸ２インターフェイスを介して通信ができる。
【００６１】
ｅＮＢ２００−１は、ｅＮＢ２００−１（すなわち、セル２５０−１）においてＤ２Ｄ近傍サービスに使用されるＤ２Ｄリソースを設定している。ここで、Ｄ２Ｄ近傍サービスに使用されるＤ２Ｄリソースは、Ｄ２Ｄ無線信号の送信に使用可能な無線リソースであるＤ２Ｄ送信リソースプール（Ｔｘ  ｒｅｓｏｕｒｃｅ  ｐｏｏｌ）及びＤ２Ｄ無線信号の受信に使用可能な無線リソースであるＤ２Ｄ受信リソースプール（Ｒｘ  ｒｅｓｏｕｒｃｅ  ｐｏｏｌ）である。本実施形態において、ｅＮＢ２００−１は、周波数帯＃１（Ｆｒｅｑ．１）の無線リソースをＤ２Ｄ送信リソースプールに設定している（図６参照）。ｅＮＢ２００−１は、自セルのＵＥ間でＤ２Ｄ無線信号の送受信を可能にするため、周波数帯♯１の無線リソースを含む無線リソースをＤ２Ｄ受信リソースプールに設定している。
【００６２】
ｅＮＢ２００−１は、設定されたＤ２Ｄリソースの情報をＤ２Ｄリソース情報として、セル２５０−１に在圏するＵＥ（不図示）にブロードキャスト（或いはユニキャスト）で通知する。セル２５０−１に在圏するＵＥは、通知されたＤ２Ｄリソースに基づいて、Ｄ２Ｄ無線信号を送受信する。本実施形態において、当該ＵＥは、周波数帯♯１の無線リソースを使用してＤ２Ｄ無線信号を送信する。
【００６３】
なお、Ｄ２Ｄ無線信号は、Ｄ２Ｄ近傍サービスのために用いられる無線信号である。Ｄ２Ｄ無線信号には、Ｄ２Ｄ発見手順（Ｄｉｓｃｏｖｅｒｙ）において送信されるＤｉｓｃｏｖｅｒｙ信号、Ｄ２Ｄ通信（Ｃｏｍｍｕｎｉｃａｔｉｏｎ）において送信されるＤ２Ｄ通信信号、Ｄ２Ｄ同期手順において送信されるＤ２Ｄ同期信号、Ｄ２Ｄ通信におけるユーザデータの受信のための無線リソースの位置を示すスケジューリング割当（ＳＡ：Ｓｃｈｅｄｕｌｉｎｇ  Ａｓｓｉｇｎｍｅｎｔ）を含む制御信号などがある。
【００６４】
本実施形態において、Ｄ２Ｄ近傍サービスに使用されるＤ２Ｄリソースは、上述の少なくともいずれかのＤ２Ｄ無線信号（例えば、Ｄｉｓｃｏｖｅｒｙ信号）の送信に使用可能な無線リソース（例えば、Ｄｉｓｃｏｖｅｒｙ送信リソースプール）及び少なくともいずれかのＤ２Ｄ無線信号（例えば、Ｄｉｓｃｏｖｅｒｙ信号）の受信に使用可能な無線リソース（例えば、Ｄｉｓｃｏｖｅｒｙ受信リソースプール）である。
【００６５】
ｅＮＢ２００−２は、ｅＮＢ２００−１の隣接基地局であるが、ｅＮＢ２００−３の隣接基地局でない。従って、セル２５０−２は、セル２５０−１と隣接するが、セル２５０−３と隣接しない。一方で、セル２５０−２は、セル２５０−３の近くに位置する。具体的には、セル２５０−２に在圏するＵＥ１００−２からのＤ２Ｄ無線信号が、セル２５０−３に在圏するＵＥ１００−３に届く範囲に、セル２５０−２が存在する。ｅＮＢ２００−２は、ｅＮＢ２００−１とＸ２インターフェイスを介して通信ができ、ｅＮＢ２００−３とＸ２インターフェイスを介して通信ができない。
【００６６】
ｅＮＢ２００−２は、ｅＮＢ２００−２（すなわち、セル２５０−２）においてＤ２Ｄ近傍サービスに使用されるＤ２Ｄリソースを設定している。本実施形態において、ｅＮＢ２００−２は、周波数帯＃２（Ｆｒｅｑ．２）の無線リソースをＤ２Ｄ送信リソースプールに設定している（図６参照）。周波数帯♯２は、周波数帯♯１と異なる無線リソースである。ｅＮＢ２００−２は、自セルのＵＥ間でＤ２Ｄ無線信号の送受信を可能にするため、周波数帯♯２の無線リソースを含む無線リソースをＤ２Ｄ受信リソースプールに設定している。
【００６７】
ｅＮＢ２００−２は、ｅＮＢ２００−１と同様に、設定されたＤ２Ｄリソースの情報をＵＥ１００−２に通知する。本実施形態において、ＵＥ１００−２は、周波数帯♯２の無線リソースを使用してＤ２Ｄ無線信号を送信する。
【００６８】
ｅＮＢ２００−３は、ｅＮＢ２００−１の隣接基地局であるが、ｅＮＢ２００−２の隣接基地局でない。従って、セル２５０−３は、セル２５０−１と隣接するが、セル２５０−２と隣接しない。さらに、ｅＮＢ２００−３は、ｅＮＢ２００−１とＸ２インターフェイスを介して通信ができ、ｅＮＢ２００−２とＸ２インターフェイスを介して通信ができない。
【００６９】
ｅＮＢ２００−３は、ｅＮＢ２００−３（すなわち、セル２５０−３）においてＤ２Ｄ近傍サービスに使用されるＤ２Ｄリソースを設定している。本実施形態において、ｅＮＢ２００−３は、周波数帯＃３（Ｆｒｅｑ．３）の無線リソースをＤ２Ｄ送信リソースプールに設定している（図６参照）。周波数帯♯３は、周波数帯♯１及び周波数帯♯２と異なる無線リソースである。ｅＮＢ２００−３は、自セルのＵＥ間でＤ２Ｄ無線信号の送受信を可能にするため、周波数帯♯３の無線リソースを含む無線リソースをＤ２Ｄ受信リソースプールに設定している。本実施形態において、ｅＮＢ２００−３に設定されているＤ２Ｄ受信リソースプール（Ｉｎｉｔｉａｌ  Ｒｘ  ｒｅｓｏｕｒｃｅ  ｐｏｏｌ）は、周波数帯♯３の無線リソースである。
【００７０】
ｅＮＢ２００−３は、ｅＮＢ２００−１と同様に、設定されたＤ２Ｄリソースの情報をＵＥ１００−３に通知する。本実施形態において、ＵＥ１００−３は、周波数帯♯３の無線リソースを使用してＤ２Ｄ無線信号を送信する。
【００７１】
ＵＥ１００−２は、セル２５０−２に在圏する。例えば、ＵＥ１００−２は、セル２５０−２においてＲＲＣアイドル状態である。或いは、ＵＥ１００−２は、セル２５０−２においてＲＲＣコネクティッド状態であってもよい。
【００７２】
ＵＥ１００−３は、セル２５０−３に在圏する。例えば、ＵＥ１００−３は、セル２５０−３においてＲＲＣアイドル状態である。或いは、ＵＥ１００−３は、セル２５０−３においてＲＲＣコネクティッド状態であってもよい。
【００７３】
本実施形態において、ＵＥ１００−２は、セル２５０−３側のセル端に位置し、ＵＥ１００−３は、セル２５０−２側のセル端に位置する。ＵＥ１００−２からのＤ２Ｄ無線信号がＵＥ１００−３に届くと仮定して説明を進める。
【００７４】
このような動作環境において、以下の動作が行われる。
【００７５】
（Ｂ）動作概要
まず、ｅＮＢ２００−２は、ｅＮＢ２００−２において設定されたＤ２Ｄリソースに関する第２のＤ２ＤリソースメッセージをｅＮＢ２００−１にＸ２インターフェイスを介して送信する。ｅＮＢ２００−１は、ｅＮＢ２００−２から第２のＤ２Ｄリソースメッセージを受信する。
【００７６】
本実施形態において、第２のＤ２Ｄリソースメッセージは、ｅＮＢ２００−２において設定されたＤ２Ｄ送信リソースプールの情報（第２のＤ２Ｄ送信リソース情報）を含む。図７に示すように、第２のＤ２Ｄ送信リソース情報は、以下の情報を含むことができる。
【００７７】
・セル識別子（Ｃｅｌｌ  ＩＤ）
・リソースブロック（ＲＢ）
・サブフレーム（Ｓｕｂｆｒａｍｅ）
・ＥＲＦＣＮ
・ホップ数（Ｈｏｐ＿ｃｏｕｎｔ）
【００７８】
ここで、セル識別子は、セル識別子が示すセル（具体的には、セル２５０−２）におけるＤ２Ｄ送信リソースプールを示す情報と関連付けられている。Ｄ２Ｄ送信リソースプールを示す情報は、リソースブロック、サブフレーム、ＥＲＦＣＮ（Ｅ−ＵＴＲＡ  ＡＲＦＣＮ）を含む。
【００７９】
リソースブロックは、Ｄ２Ｄ送信リソースプールを示すリソースブロックである。本実施形態において、リソースブロックは、周波数帯♯２のリソースブロックである。サブフレームは、Ｄ２Ｄ送信リソースプールを示すサブフレームである。ＥＲＦＣＮは、Ｄ２Ｄ送信リソースプールを示す周波数の識別情報である。本実施形態において、ＥＲＦＣＮは、周波数帯♯２を示す。
【００８０】
ホップ数は、Ｄ２Ｄ送信リソースプールを示す情報が転送された回数を示す。ここでは、ホップ数は、０である。
【００８１】
次に、ｅＮＢ２００−１は、ｅＮＢ２００−１において設定されたＤ２Ｄリソースに関する第１のＤ２ＤリソースメッセージをｅＮＢ２００−３にＸ２インターフェイスを介して送信する。ｅＮＢ２００−３は、ｅＮＢ２００−１から第１のＤ２Ｄリソースメッセージを受信する。
【００８２】
第１のＤ２Ｄリソースメッセージは、ｅＮＢ２００−１において設定されたＤ２Ｄ送信リソースプールの情報（第１のＤ２Ｄ送信リソース情報）を含む。第１のＤ２Ｄ送信リソース情報は、上述の第２のＤ２Ｄ送信リソース情報と同様の情報である。本実施形態において、第１のＤ２Ｄ送信リソース情報は、セル２５０−１を示すセル識別子、周波数帯♯１のリソースブロック、ｅＮＢ２００−１におけるＤ２Ｄ送信リソースプールを示すサブフレーム、周波数帯♯１を示すＥＲＦＣＮ、及びｅＮＢ２００−１におけるＤ２Ｄ送信リソースプールの転送回数が０を示すホップ数、の情報を含む。
【００８３】
ここで、第１のＤ２Ｄリソースメッセージは、第１のＤ２Ｄ送信リソース情報に加えて、第２のＤ２Ｄ送信リソース情報を含む。従って、第１のＤ２Ｄリソースメッセージは、ｅＮＢ２００−１におけるＤ２Ｄ送信リソースプール及びｅＮＢ２００−２におけるＤ２Ｄ送信リソースプールの情報を含む。
【００８４】
なお、第１のＤ２Ｄリソースメッセージに含まれる第２のＤ２Ｄ送信リソース情報は、第２のＤ２Ｄリソースメッセージに含まれる第２のＤ２Ｄ送信リソース情報と同様の情報である。ただし、第２のＤ２Ｄ送信リソース情報に含まれるホップ数は、１を示す。
【００８５】
ｅＮＢ２００−１は、ｅＮＢ２００−２におけるＤ２Ｄ送信リソースプールが、ｅＮＢ２００−１におけるＤ２Ｄ送信リソースプールの範囲内である場合、第２のＤ２Ｄ送信リソース情報を含まない第１のＤ２Ｄリソースメッセージを送信してもよい。本実施形態において、ｅＮＢ２００−１におけるＤ２Ｄ送信リソースプール（周波数帯♯１）とｅＮＢ２００−２におけるＤ２Ｄ送信リソースプール（周波数帯♯２）とは異なるため、第２のＤ２Ｄ送信リソース情報を含む第１のＤ２Ｄリソースメッセージを送信する。
【００８６】
第１のＤ２Ｄリソースメッセージを受信したｅＮＢ２００−３は、第１のＤ２Ｄリソースメッセージに基づいて、ｅＮＢ２００−３（すなわち、セル２５０−３）におけるＤ２Ｄ受信リソースプールを設定する。具体的には、ｅＮＢ２００−３は、ｅＮＢ２００−１におけるＤ２Ｄ送信リソースプールとｅＮＢ２００−２におけるＤ２Ｄ送信リソースプールとに対応する無線リソースを、ｅＮＢ２００−３におけるＤ２Ｄ受信リソースプールに追加する。すなわち、ｅＮＢ２００−３は、Ｄ２Ｄ受信リソースプールに、周波数帯♯１−♯２の無線リソースを追加する。従って、ｅＮＢ２００−３は、周波数帯♯１−♯３の無線リソースを新たなＤ２Ｄ受信リソースプールとして設定する。
【００８７】
ｅＮＢ２００−３は、Ｄ２Ｄリソース情報として、新たなＤ２Ｄ受信リソースプールをＵＥ１００−３に送信（通知）する。ＵＥ１００−３は、新たなＤ２Ｄ受信リソースプールに基づいて、Ｄ２Ｄ無線信号の受信に使用可能な無線リソース（周波数帯♯１−♯３）を設定する。このため、ＵＥ１００−２が、ｅＮＢ２００−２（セル２５０−２）におけるＤ２Ｄ送信リソースプールである周波数帯♯２に含まれる無線リソースを使用してＤ２Ｄ無線信号を送信した場合であっても、ＵＥ１００−３は、設定された周波数帯♯１−３を対象として、スキャンを行うことによって、ＵＥ１００−２からのＤ２Ｄ無線信号を受信することができる。
【００８８】
（Ｃ）変更例
次に、上述した動作の変更例について、図８を用いて説明する。図８は、第１実施形態の変更例に係る動作を説明するための図である。なお、上述した動作と異なる部分を中心に説明し、同様の部分は、説明を適宜省略する。
【００８９】
上述した動作では、第２のＤ２Ｄリソースメッセージは、第２のＤ２Ｄ送信リソース情報を含んでいたが、本変更例では、第２のＤ２Ｄリソースメッセージは、第２のＤ２Ｄ送信リソース情報に加えて、ｅＮＢ２００−１と異なるｅＮＢ２００−２の隣接ｅＮＢ（具体的には、ｅＮＢ２００−４）において設定されたＤ２Ｄ送信リソースプールの情報を含む。
【００９０】
図８に示すように、ｅＮＢ２００−４は、ｅＮＢ２００−２の隣接基地局であるが、ｅＮＢ２００−１の隣接基地局でない。従って、ｅＮＢ２００−４が管理するセル２５０−４は、セル２５０−２と隣接するが、セル２５０−１と隣接しない。一方で、セル２５０−４は、セル２５０−１の近くに位置する。具体的には、セル２５０−４に在圏するＵＥからのＤ２Ｄ無線信号が、セル２５０−１に在圏するＵＥに届く範囲に、セル２５０−４が存在する。ｅＮＢ２００−４は、ｅＮＢ２００−２とＸ２インターフェイスを介して通信ができ、ｅＮＢ２００−１とＸ２インターフェイスを介して通信ができない。
【００９１】
ｅＮＢ２００−４は、ｅＮＢ２００−４（すなわち、セル２５０−４）においてＤ２Ｄ近傍サービスに使用されるＤ２Ｄリソースを設定している。本変更例において、ｅＮＢ２００−４は、周波数帯＃１（Ｆｒｅｑ．１）の無線リソースをＤ２Ｄ送信リソースプールに設定している（図８参照）。ｅＮＢ２００−４は、自セルのＵＥ間でＤ２Ｄ無線信号の送受信を可能にするため、周波数帯♯１の無線リソースを含む無線リソースをＤ２Ｄ受信リソースプールに設定している。
【００９２】
まず、ｅＮＢ２００−４は、ｅＮＢ２００−４において設定されたＤ２Ｄリソースに関する第４のＤ２ＤリソースメッセージをｅＮＢ２００−２にＸ２インターフェイスを介して送信する。ｅＮＢ２００−２は、ｅＮＢ２００−４から第２のＤ２Ｄリソースメッセージを受信する。
【００９３】
上述と同様に、第４のＤ２Ｄリソースメッセージは、ｅＮＢ２００−４において設定されたＤ２Ｄ送信リソースプールの情報（第４のＤ２Ｄ送信リソース情報）を含む。
【００９４】
なお、第４のＤ２Ｄリソースメッセージは、上述の第１のＤ２Ｄリソースメッセージと同様に、第４のＤ２Ｄ送信リソース情報に加えて、ｅＮＢ２００−４の隣接ｅＮＢでないｅＮＢ２００−５において設定されたＤ２Ｄ送信リソースプールの情報（第５のＤ２Ｄ送信リソース情報）を含んでもよい。
【００９５】
次に、ｅＮＢ２００−２は、第２のＤ２ＤリソースメッセージをｅＮＢ２００−１に送信する。第２のＤ２Ｄリソースメッセージは、第２のＤ２Ｄ送信リソース情報に加えて、第４のＤ２Ｄ送信リソース情報をさらに含む。第２のＤ２Ｄリソースメッセージは、第５のＤ２Ｄ送信リソース情報をさらに含んでもよい。
【００９６】
次に、ｅＮＢ２００−１は、第１のＤ２ＤリソースメッセージをｅＮＢ２００−３に送信する。ｅＮＢ２００−１は、受信した第２のＤ２Ｄリソースメッセージに含まれる第４のＤ２Ｄ送信リソース情報を含む第１のＤ２ＤリソースメッセージをｅＮＢ２００−３に送信できる。或いは、ｅＮＢ２００−１は、ｅＮＢ２００−４におけるＤ２Ｄ送信リソースプールが、ｅＮＢ２００−２におけるＤ２Ｄ送信リソースプールの範囲内である場合、第２のＤ２Ｄ送信リソース情報を含み第４のＤ２Ｄ送信リソース情報を含まない第１のＤ２Ｄリソースメッセージを送信してもよい。或いは、ｅＮＢ２００−１は、ｅＮＢ２００−４におけるＤ２Ｄ送信リソースプールが、ｅＮＢ２００−１におけるＤ２Ｄ送信リソースプールの範囲内である場合、第４のＤ２Ｄ送信リソース情報を含まない第１のＤ２Ｄ送信リソース情報を送信してもよい。本変更例では、ｅＮＢ２００−１におけるＤ２Ｄ送信リソースプールとｅＮＢ２００−４におけるＤ２Ｄ送信リソースプールとが周波数帯♯１で同一であるため、第４のＤ２Ｄ送信リソース情報を含まない第１のＤ２Ｄ送信リソース情報を送信できる。
【００９７】
また、第２のＤ２Ｄリソースメッセージが第５のＤ２Ｄ送信リソース情報を含む場合、上述と同様に、第１のＤ２Ｄリソースメッセージは、第５のＤ２Ｄ送信リソース情報を含んでもよいし、含まなくてもよい。ｅＮＢ２００−１は、第５のＤ２Ｄ送信リソース情報に含まれるホップ数が上限値（第１の閾値）以下である場合にのみ、第５のＤ２Ｄ送信リソース情報を含む第１のＤ２Ｄリソースメッセージを送信してもよい。第１の閾値は、ｅＮＢ２００−１に予め設定されていてもよい。或いは、ｅＮＢ２００−１は、ＯＡＭから第１の閾値を示す情報を受信してもよい。
【００９８】
上述したように、第１のＤ２Ｄリソースメッセージを受信したｅＮＢ２００−３は、第１のＤ２Ｄリソースメッセージに基づいて、ｅＮＢ２００−３におけるＤ２Ｄ受信リソースプールを設定する。本変形例において、ｅＮＢ２００−３は、第１のＤ２Ｄリソースメッセージが第４のＤ２Ｄ送信リソース情報を含む場合、ｅＮＢ２００−１におけるＤ２Ｄ送信リソースプールとｅＮＢ２００−２におけるＤ２Ｄ送信リソースプールとに対応する無線リソースだけでなく、ｅＮＢ２００−４におけるＤ２Ｄ送信リソースプールに対応する無線リソースを、ｅＮＢ２００−３におけるＤ２Ｄ受信リソースプールに追加できる。
【００９９】
また、第１のＤ２Ｄリソースメッセージが第５のＤ２Ｄ送信リソース情報を含む場合、ｅＮＢ２００−３は、第５のＤ２Ｄ送信リソース情報に含まれるホップ数が上限値（第２の閾値）以下である場合にのみ、ｅＮＢ２００−５におけるＤ２Ｄ送信リソースプールに対応する無線リソースを、ｅＮＢ２００−３におけるＤ２Ｄ受信リソースプールに追加してもよい。第２の閾値は、ｅＮＢ２００−３に予め設定されていてもよい。或いは、ｅＮＢ２００−３は、ＯＡＭから第２の閾値を示す情報を受信してもよい。第２の閾値は、上述の第１の閾値と同じ値であってもよいし、第１の閾値よりも低い値であってもよい。
【０１００】
（第１実施形態のまとめ）
本実施形態では、ｅＮＢ２００−１は、ｅＮＢ２００−２から第２のＤ２Ｄリソースメッセージを受信する。第２のＤ２Ｄリソースメッセージを受信したｅＮＢ２００−１は、ｅＮＢ２００−３に対して、第１のＤ２Ｄリソースメッセージを送信する。第１のＤ２Ｄリソースメッセージは、ｅＮＢ２００−１においてＤ２Ｄ近傍サービスに使用されるＤ２Ｄリソース及びｅＮＢ２００−２においてＤ２Ｄ近傍サービスに使用されるＤ２Ｄリソースの情報を含む。これにより、ｅＮＢ２００−３は、ｅＮＢ２００−３の隣接ｅＮＢ２００でないｅＮＢ２００−２においてＤ２Ｄ近傍サービスに使用されるＤ２Ｄリソースの情報を、Ｘ２インターフェイスを介して受信することができる。従って、ｅＮＢ２００−３は、ｅＮＢ２００−２において設定されたＤ２Ｄリソースの情報に基づいて、ｅＮＢ２００−３におけるＤ２Ｄリソースを設定することができるため、オーバヘッドの増加を抑制しつつ、ｅＮＢ２００−２とｅＮＢ２００−３との間で、Ｄ２Ｄ無線信号が受信可能となる。
【０１０１】
本実施形態では、ｅＮＢ２００−１は、第２のＤ２Ｄ送信リソース情報を含む第２のＤ２Ｄリソースメッセージを受信する。第１のＤ２Ｄリソースメッセージは、ｅＮＢ２００−１において設定されたＤ２Ｄ送信リソースプールの情報である第１のＤ２Ｄ送信リソース情報及びｅＮＢ２００−２において設定されたＤ２Ｄ送信リソースプールの情報である第２のＤ２Ｄ送信リソース情報を含む。さらに、本実施形態では、ｅＮＢ２００−３は、ｅＮＢ２００−１におけるＤ２Ｄ送信リソースプールとｅＮＢ２００−２におけるＤ２Ｄ送信リソースプールとに対応する無線リソースを、ｅＮＢ２００−３におけるＤ２Ｄ受信リソースプールに追加することによって、新たなＤ２Ｄ受信リソースプールを設定する。これにより、セル２５０−３に在圏するＵＥ１００−３は、隣接セルであるセル２５０−１に在圏するＵＥだけでなく、セル２５０−２に在圏するＵＥ１００−２からのＤ２Ｄ無線信号を受信することが可能となる。
【０１０２】
本実施形態では、ｅＮＢ２００−１は、ｅＮＢ２００−２におけるＤ２Ｄ送信リソースプールがｅＮＢ２００−１におけるＤ２Ｄ送信リソースプールの範囲内である場合、第２のＤ２Ｄ送信リソース情報を含まない第１のＤ２Ｄリソースメッセージを送信できる。これにより、ｅＮＢ２００−１は、ＵＥ１００−３がＵＥ１００−２からのＤ２Ｄ無線信号を受信可能とする情報を残しつつ、第１のＤ２Ｄリソースメッセージに含める情報を削減できる。
【０１０３】
本実施形態では、ｅＮＢ２００−１は、第４のＤ２Ｄ送信リソースプールの情報をさらにふくむ第１のＤ２ＤリソースメッセージをｅＮＢ２００−３に送信できる。これにより、これにより、セル２５０−３に在圏するＵＥ１００−３は、ｅＮＢ２００−４が管理するセル２５０−４に在圏するＵＥからのＤ２Ｄ無線信号を受信することが可能となる。
【０１０４】
本実施形態では、ｅＮＢ２００−１は、ｅＮＢ２００−４におけるＤ２Ｄ送信リソースプールがｅＮＢ２００−２におけるＤ２Ｄ送信リソースプールの範囲内である場合、第４のＤ２Ｄ送信リソース情報を含まない第１のＤ２Ｄリソースメッセージを送信できる。これにより、ｅＮＢ２００−１は、ＵＥ１００−３がＵＥ１００−２からのＤ２Ｄ無線信号を受信可能とする情報を残しつつ、第１のＤ２Ｄリソースメッセージに含める情報を削減できる。
【０１０５】
本実施形態では、ｅＮＢ２００−３は、第５のＤ２Ｄ送信リソース情報に含まれるホップ数が上限値（第２の閾値）以下である場合にのみ、ｅＮＢ２００−５におけるＤ２Ｄ送信リソースプールに対応する無線リソースを、ｅＮＢ２００−３におけるＤ２Ｄ受信リソースプールに追加することによって、新たなＤ２Ｄ受信リソースプールを設定できる。これにより、ｅＮＢ２００−３は、ｅＮＢ２００−３から地理的に遠い位置に設置されたｅＮＢ２００−５におけるＤ２Ｄ送信リソースプールに対応する無線リソースを、ｅＮＢ２００−３におけるＤ２Ｄ受信リソースプールに追加することを抑制できる。
【０１０６】
［第２実施形態］
次に、第２実施形態に係る動作について、図９を用いて説明する。図９は、第２実施形態に係る動作を説明するための説明図である。なお、上述した第１実施形態と異なる部分を中心に説明し、同様の部分は、説明を適宜省略する。
【０１０７】
第１実施形態では、各Ｄ２Ｄリソースメッセージは、Ｄ２Ｄ送信リソースプールの情報を含んでいたが、第２実施形態では、各Ｄ２Ｄリソースメッセージは、Ｄ２Ｄ受信リソースプールの情報を含む。
【０１０８】
なお、第２実施形態では、各ｅＮＢ２００において設定されたＤ２Ｄ受信リソースプールとＤ２Ｄ送信リソースプールとは、同じ無線リソースであると仮定して説明を進める。
【０１０９】
図９（Ａ）に示すように、ｅＮＢ２００間でＤ２Ｄリソースの協調が行われる。
【０１１０】
具体的には、まず、ｅＮＢ２００−１は、第１のＤ２ＤリソースメッセージをｅＮＢ２００−２及びｅＮＢ２００−３に送信する。ｅＮＢ２００−２及びｅＮＢ２００−３のそれぞれは、第１のＤ２Ｄリソースメッセージを受信する。ｅＮＢ２００−２は、第２のＤ２ＤリソースメッセージをｅＮＢ２００−１に送信する。ｅＮＢ２００−１は、第２のＤ２Ｄリソースメッセージを受信する。ｅＮＢ２００−３は、第３のＤ２ＤリソースメッセージをｅＮＢ２００−１に送信する。ｅＮＢ２００−１は、第３のＤ２Ｄリソースメッセージを受信する。
【０１１１】
第１のＤ２Ｄリソースメッセージは、ｅＮＢ２００−１において設定されたＤ２Ｄ受信リソースプールの情報（第１のＤ２Ｄ受信リソース情報）を含む。第１のＤ２Ｄ受信リソース情報は、第１実施形態の各Ｄ２Ｄ送信リソース情報と同様に、例えば、以下の情報を含むことができる。
【０１１２】
・セル識別子（Ｃｅｌｌ  ＩＤ）
・リソースブロック（ＲＢ）
・サブフレーム（Ｓｕｂｆｒａｍｅ）
・ＥＲＦＣＮ
【０１１３】
ここで、セル識別子は、セル識別子が示すセル（具体的には、セル２５０−１）におけるＤ２Ｄ受信リソースプールを示す情報と関連付けられている。Ｄ２Ｄ受信リソースプールを示す情報は、リソースブロック、サブフレーム、ＥＲＦＣＮ（Ｅ−ＵＴＲＡ  ＡＲＦＣＮ）を含む。
【０１１４】
リソースブロックは、Ｄ２Ｄ受信リソースプールを示すリソースブロックである。本実施形態において、リソースブロックは、周波数帯♯１のリソースブロックである。サブフレームは、Ｄ２Ｄ受信リソースプールを示すサブフレームである。ＥＲＦＣＮは、Ｄ２Ｄ受信リソースプールを示す周波数の識別情報である。本実施形態において、ＥＲＦＣＮは、周波数帯♯１を示す。なお、第１のＤ２Ｄ受信リソース情報は、ホップ数の情報を含まない。
【０１１５】
第２のＤ２Ｄリソースメッセージは、第１のＤ２Ｄリソースメッセージと同様に、ｅＮＢ２００−２において設定されたＤ２Ｄ受信リソースプールの情報（第２のＤ２Ｄ受信リソース情報）を含む。従って、第２のＤ２Ｄ受信リソース情報は、ｅＮＢ２００−２においてＤ２Ｄ受信リソースプールとして設定された周波数帯♯２の情報を含む。
【０１１６】
第３のＤ２Ｄリソースメッセージは、第１のＤ２Ｄリソースメッセージと同様に、ｅＮＢ２００−３において設定されたＤ２Ｄ受信リソースプールの情報（第３のＤ２Ｄ受信リソース情報）を含む。従って、第３のＤ２Ｄ受信リソース情報は、ｅＮＢ２００−３においてＤ２Ｄ受信リソースプールとして設定された周波数帯♯３の情報を含む。
【０１１７】
以上により、ｅＮＢ２００−１とｅＮＢ２００−２とは、設定されたＤ２Ｄリソース情報を交換する。ｅＮＢ２００−１とｅＮＢ２００−３とは、設定されたＤ２Ｄリソース情報を交換する。
【０１１８】
ｅＮＢ２００−１は、第２及び第３のＤ２Ｄリソースメッセージに基づいて、新たな第１のＤ２Ｄ受信リソースプールを設定する。具体的には、ｅＮＢ２００−１は、ｅＮＢ２００−２において設定されたＤ２Ｄ受信リソースプールとｅＮＢ２００−３において設定されたＤ２Ｄ受信リソースプールとに対応する無線リソースを、ｅＮＢ２００−１におけるＤ２Ｄ受信リソースプールに追加する。従って、ｅＮＢ２００−１は、自身のＤ２Ｄ受信リソースプールに、周波数帯♯２−♯３の無線リソースを追加する。その結果、ｅＮＢ２００−１は、周波数帯♯１−♯３の無線リソースを新たなＤ２Ｄ受信リソースプールとして設定する（図９（Ｂ）参照）。
【０１１９】
ｅＮＢ２００−２は、第１のＤ２Ｄリソースメッセージに基づいて、新たな第２のＤ２Ｄ受信リソースプールを設定する。具体的には、ｅＮＢ２００−２は、ｅＮＢ２００−１において設定されたＤ２Ｄ受信リソースプールに対応する無線リソースを、ｅＮＢ２００−２におけるＤ２Ｄ受信リソースプールに追加する。従って、ｅＮＢ２００−２は、自身のＤ２Ｄ受信リソースプールに、周波数帯♯１の無線リソースを追加する。その結果、ｅＮＢ２００−２は、周波数帯♯１−♯２の無線リソースを新たなＤ２Ｄ受信リソースプールとして設定する（図９（Ｂ）参照）。
【０１２０】
ｅＮＢ２００−３は、ｅＮＢ２００−２と同様に、第１のＤ２Ｄ受信リソースプールに基づいて、新たな第３のＤ２Ｄ受信リソースプールを設定する。従って、ｅＮＢ２００−３は、自身のＤ２Ｄ受信リソースプールに、周波数帯♯１の無線リソースを追加する。その結果、ｅＮＢ２００−３は、周波数帯♯１及び周波数帯♯３の無線リソースを新たなＤ２Ｄ受信リソースプールとして設定する（図９（Ｂ）参照）。
【０１２１】
以上の通り、ｅＮＢ２００間で、受信リソースプールの交換が行われるとともに、交換した受信リソースプールに基づいて、新たな受信リソースプールが設定されることによって、Ｄ２Ｄリソースの協調が行われる。
【０１２２】
次に、図９（Ｂ）に示すように、ｅＮＢ２００間でＤ２Ｄリソースの協調がさらに行われる。
【０１２３】
上述と同様に、ｅＮＢ２００−１は、第１のＤ２ＤリソースメッセージをｅＮＢ２００−２及びｅＮＢ２００−３に送信する。ここで、第１のＤ２Ｄリソースメッセージは、ｅＮＢ２００−１において新たに設定されたＤ２Ｄ受信リソースプールの情報（新たな第１のＤ２Ｄ受信リソース情報）を含む。
【０１２４】
上述と同様に、ｅＮＢ２００−２は、第２のＤ２ＤリソースメッセージをｅＮＢ２００−１に送信する。ここで、第２のＤ２Ｄリソースメッセージは、ｅＮＢ２００−２において新たに設定されたＤ２Ｄ受信リソースプールの情報（新たな第２のＤ２Ｄ受信リソース情報）を含む。
【０１２５】
上述と同様に、ｅＮＢ２００−３は、第３のＤ２ＤリソースメッセージをｅＮＢ２００−１に送信する。ここで、第３のＤ２Ｄリソースメッセージは、ｅＮＢ２００−３において新たに設定されたＤ２Ｄ受信リソースプールの情報（新たな第３のＤ２Ｄ受信リソース情報）を含む。
【０１２６】
ｅＮＢ２００−１において設定されたＤ２Ｄ受信リソースプールが、ｅＮＢ２００−２及びｅＮＢ２００−３のそれぞれにおいて設定されたＤ２Ｄ受信リソースプールに対応する無線リソースを含むため、ｅＮＢ２００−１は、新たなＤ２Ｄ受信リソースプールの設定を省略する。
【０１２７】
一方、ｅＮＢ２００−２において設定されたＤ２Ｄ受信リソースプールが、ｅＮＢ２００−１において設定されたＤ２Ｄ受信リソースプールの一部（具体的には、周波数帯♯３）に対応する無線リソースを含まないため、ｅＮＢ２００−２は、周波数帯♯３に対応する無線リソースを、ｅＮＢ２００−２におけるＤ２Ｄ受信リソースプールに追加する。その結果、ｅＮＢ２００−２は、周波数帯♯１−♯３の無線リソースを新たなＤ２Ｄ受信リソースプールとして設定する（図９（Ｃ）参照）。なお、新たに追加した無線リソースは、ｅＮＢ２００間でＤ２Ｄリソースの協調が行われる前において、ｅＮＢ２００−２の隣接基地局でないｅＮＢ２００−３においてＤ２Ｄ受信リソースプールとして設定されていた無線リソースに対応する。
【０１２８】
また、ｅＮＢ２００−３において設定されたＤ２Ｄ受信リソースプールが、ｅＮＢ２００−１において設定されたＤ２Ｄ受信リソースプールの一部（具体的には、周波数帯♯２）に対応する無線リソースを含まないため、ｅＮＢ２００−３は、周波数帯♯２に対応する無線リソースを、ｅＮＢ２００−３におけるＤ２Ｄ受信リソースプールに追加する。その結果、ｅＮＢ２００−３は、周波数帯♯１−♯３の無線リソースを新たなＤ２Ｄ受信リソースプールとして設定する（図９（Ｃ）参照）。なお、新たに追加した無線リソースは、ｅＮＢ２００間でＤ２Ｄリソースの協調が行われる前において、ｅＮＢ２００−３の隣接基地局でないｅＮＢ２００−２においてＤ２Ｄ受信リソースプールとして設定されていた無線リソースに対応する。
【０１２９】
以上の通り、ｅＮＢ２００間でＤ２Ｄリソースの協調が行われた結果、各ｅＮＢ２００は、周波数帯♯１−♯３の無線リソースをＤ２Ｄ受信リソースプールとして設定される。
【０１３０】
なお、各ｅＮＢ２００が、Ｄ２Ｄリソースの協調を繰り返し行うことによって、Ｄ２Ｄ受信リソースプールが拡大し続けることを抑制するために、以下の方法を行うことができる。
【０１３１】
第１の方法として、ｅＮＢ２００は、Ｄ２Ｄ受信リソースプールの範囲を制限する制限情報に基づいて、Ｄ２Ｄ受信リソースプールを設定する。
【０１３２】
ここで、制限情報は、Ｄ２Ｄ受信リソースプールとして設定可能な周波数帯の最大範囲を指定する情報であってもよいし、Ｄ２Ｄ受信リソースプールとして設定可能なリソースブロックの最大個数を指定する情報であってもよい。また、制限情報は、ＯＡＭなどのｅＮＢ２００の上位のネットワーク装置から通知されてもよいし、ｅＮＢ２００に予め設定されていてもよい。
【０１３３】
ｅＮＢ２００は、隣接ｅＮＢ２００において設定されたＤ２Ｄ受信リソースプールに対応する無線リソースのうち、制限情報によって指定された範囲を超えた無線リソースを、ｅＮＢ２００におけるＤ２Ｄ受信リソースプールに追加しない。
【０１３４】
第２の方法として、ｅＮＢ２００は、ＵＥ１００からのリソース報告に基づいて、Ｄ２Ｄ受信リソースプールを設定する。
【０１３５】
具体的には、まず、ｅＮＢ２００が管理するセル２５０に在圏するＵＥ１００が、セル２５０におけるＤ２Ｄ受信リソースプールを対象としてスキャンを行うことによって、他のＵＥ１００からのＤ２Ｄ無線信号を受信した場合、ｅＮＢ２００にリソース報告を送信する。リソース報告は、Ｄ２Ｄ無線信号の受信に成功した無線リソースの情報を含む報告である。
【０１３６】
ＵＥ１００は、ＲＲＣコネクティッド状態である場合、Ｄ２Ｄ無線信号の受信の成功をトリガとして、リソース報告をｅＮＢ２００に送信してもよいし、ＲＲＣアイドル状態でＤ２Ｄ無線信号の受信に成功した場合、ＲＲＣコネクティッド状態に移行した場合に、リソース報告をｅＮＢ２００に送信してもよい。
【０１３７】
ｅＮＢ２００は、自セルに在圏するＵＥ１００から、Ｄ２Ｄ無線信号の受信に成功した無線リソースの情報を含むリソース報告を受信する。ｅＮＢ２００は、受信したリソース報告をメモリ２３０に保存しておく。
【０１３８】
ｅＮＢ２００は、Ｄ２Ｄ受信リソースプールを設定する場合に、保存していたリソース報告に基づいて、Ｄ２Ｄ無線信号の受信に成功した無線リソースに対応しない無線リソースを、Ｄ２Ｄ受信リソースプールから削減する。
【０１３９】
或いは、ｅＮＢ２００は、受信したリソース報告に基づいて、Ｄ２Ｄ受信リソースプールに含まれる無線リソースのうち、Ｄ２Ｄ無線信号の受信に成功した無線リソースに対応する無線リソースを更新する。Ｄ２Ｄ受信リソースプールに含まれる無線リソースのうち、所定期間更新されない無線リソースを削減してもよい。
【０１４０】
第３の方法として、ｅＮＢ２００は、Ｄ２Ｄ送信リソースプールに基づいて、Ｄ２Ｄ受信リソースプールを設定する。
【０１４１】
上述の第１実施形態のように、ｅＮＢ２００は、隣接ｅＮＢ２００から受信したＤ２Ｄ送信リソース情報に基づいて、隣接ｅＮＢ２００（及び隣接でない他のｅＮＢ２００）において設定されたＤ２Ｄ送信リソースプールに対応する無線リソースと異なる無線リソースを、Ｄ２Ｄ受信リソースプールに含まれる無線リソースの中から削減してもよい。
【０１４２】
なお、上述の第１から第３の方法を組み合わせた方法が行われても勿論よい。
【０１４３】
（第２実施形態のまとめ）
本実施形態では、ｅＮＢ２００−１は、第２のＤ２Ｄリソースメッセージに基づいて、ｅＮＢ２００−２において設定されたＤ２Ｄ受信リソースプールに対応する無線リソースを、ｅＮＢ２００−１におけるＤ２Ｄ受信リソースプールに追加することによって、新たなＤ２Ｄ受信リソースプールを設定する。さらに、ｅＮＢ２００−１は、ｅＮＢ２００−１における新たなＤ２Ｄ受信リソースプールの情報である新たな第１のＤ２Ｄ受信リソース情報を含む第１のＤ２ＤリソースメッセージをｅＮＢ２００−２に送信する。また、ｅＮＢ２００−３は、第１のＤ２Ｄリソースメッセージに基づいて、新たな第１のＤ２Ｄ受信リソースプールに対応する無線リソースを、ｅＮＢ２００−３におけるＤ２Ｄ受信リソースプールに追加することによって、新たなＤ２Ｄ受信リソースプールを設定できる。これにより、ｅＮＢ２００−３は、ｅＮＢ２００−２において設定されたＤ２Ｄ受信リソースプールが反映された新たな第１のＤ２Ｄ受信リソース情報に基づいて、Ｄ２Ｄ受信リソースプールを設定できるため、オーバヘッドの増加を抑制しつつも、ｅＮＢ２００−２とｅＮＢ２００−３との間で、Ｄ２Ｄ無線信号が受信可能となる。
【０１４４】
本実施形態では、ｅＮＢ２００−３は、Ｄ２Ｄ受信リソースプールの範囲を制限する制限情報に基づいて、新たなＤ２Ｄ受信リソースプールを設定できる。これにより、Ｄ２Ｄ受信リソースプールが必要以上に拡大することを低減できる。その結果、ＵＥ１００がＤ２Ｄ無線信号の受信のためにスキャンする領域が狭くすることができる。
【０１４５】
本実施形態では、ｅＮＢ２００−３は、ＵＥ１００からのリソース報告に基づいて、Ｄ２Ｄ無線信号の受信に成功した無線リソースに対応しない無線リソースを、受信リソースプールから削減することによって、新たなＤ２Ｄ受信リソースプールを設定できる。これにより、Ｄ２Ｄ無線信号の受信に使用されない無線リソースを削減することができるため、Ｄ２Ｄ受信リソースプールが必要以上に拡大することを低減できる。その結果、ＵＥ１００がＤ２Ｄ無線信号の受信のためにスキャンする領域が狭くすることができる。
【０１４６】
［その他の実施形態］
上述した各実施形態において、ｅＮＢ２００は、他のｅＮＢ２００におけるＤ２Ｄ送信リソースプール及びＤ２Ｄ受信リソースプールに対応する無線リソースに基づいて、新たなＤ２Ｄ受信リソースプールを設定していたが、これに限られない。ｅＮＢ２００−３は、当該無線リソースに基づいて、新たなＤ２Ｄ送信リソースプールを設定してもよい。具体的には、ｅＮＢ２００は、ｅＮＢ２００−３において設定されているＤ２Ｄ送信リソースプールに当該無線リソースを追加することによって、新たなＤ２Ｄ送信リソースプールを設定してもよい。
【０１４７】
上述した各実施形態において、ｅＮＢ２００は、１つのセル２５０のみを管理していたが、これに限られない。ｅＮＢ２００は、複数のセルを管理していてもよい。この場合、ｅＮＢ２００は、複数のセルのそれぞれにおけるＤ２Ｄ受信リソースプールに、他のｅＮＢ２００におけるＤ２Ｄ送信リソースプール（及び／又はＤ２Ｄ受信リソースプール）に対応する無線リソースを追加してもよい。或いは、ｅＮＢ２００は、複数のセルのいずれかにおいて設定されたＤ２Ｄ受信リソースプールに、他のｅＮＢ２００におけるＤ２Ｄ送信リソースプール（及び／又はＤ２Ｄ受信リソースプール）に対応する無線リソースを追加してもよい。
【０１４８】
上述した第２実施形態では、制限情報は、Ｄ２Ｄ受信リソースプールの範囲を制限する情報であったが、これに限られない。制限情報は、Ｄ２Ｄ送信リソースプールの範囲を制限する情報を含んでもよい。
【０１４９】
上述した各実施形態において、各ｅＮＢ２００が異なるＰＬＭＮに属していてもよい。
【０１５０】
上述した各実施形態は、適宜組み合わせることができる。例えば、各Ｄ２Ｄリソースメッセージは、Ｄ２Ｄ送信リソースプール及びＤ２Ｄ受信リソースプールの情報を含んでいてもよい。例えば、Ｄ２Ｄリソースメッセージは、自局において設定されたＤ２Ｄ送信リソースプールの情報と、隣接ｅＮＢにおいて設定されたＤ２Ｄ受信リソースプールの情報とを含んでいてもよい。或いは、Ｄ２Ｄリソースメッセージは、自局において設定されたＤ２Ｄ受信リソースプールの情報と、隣接ｅＮＢにおいて設定されたＤ２Ｄ送信リソースプールの情報とを含んでいてもよい。各ｅＮＢ２００は、当該情報に基づいて、Ｄ２Ｄ送信リソースプール及び／又はＤ２Ｄ受信リソースプールの設定を行うことができる。
【０１５１】
上述した各実施形態において、Ｄ２Ｄリソースメッセージ（Ｄ２Ｄリソース情報）に含まれるリソースブロック（ＲＢ）の情報は、ＲＢを示すビットマップ（図７参照）であってもよいし、ＲＢ数を示す情報であってもよいし、開始オフセットを指定する情報であってもよいし、終了オフセットを示す情報であってもよい。また、Ｄ２Ｄリソースメッセージ（Ｄ２Ｄリソース情報）に含まれるサブフレームの情報は、サブフレームを示すビットマップ（図７参照）であってもよいし、開始オフセットを指定する情報であってもよいし、サブフレームの繰り返し回数を示す情報であってもよい。
【０１５２】
上述した第２実施形態において、Ｄ２Ｄリソースプール（Ｄ２Ｄ送信リソースプール及び／又はＤ２Ｄ受信リソースプール）が拡大し続けることを抑制するために、ｅＮＢ２００は、物理レイヤパラメータ（例えば、ＣＰ長）が、自セルにおけるＤ２Ｄリソースプールと同一のＤ２Ｄリソースプールのみを自セルのＤ２Ｄリソースプールを新たなＤ２Ｄリソースプールとして設定してもよい。一方で、ｅＮＢ２００は、物理レイヤパラメータ（例えば、ＣＰ長）が、自セルにおけるＤ２Ｄリソースプールと異なるＤ２Ｄリソースプールを、新たなＤ２Ｄリソースプールとして設定せずに、別途管理してもよい。
【０１５３】
上述した各実施形態では、移動通信システムの一例としてＬＴＥシステムを説明したが、ＬＴＥシステムに限定されるものではなく、ＬＴＥシステム以外のシステムに本発明を適用してもよい。
【０１５４】
なお、本発明は、Ｘ２インターフェイスを介した接続が確立されているｅＮＢどうしが、隣接ｅＮＢの関係にあるかどうかに依らない適用可能であることは勿論である。また、Ｄ２Ｄリソースの情報の転送は、転送先のｅＮＢのＸ２インターフェイスを介した接続状態に依らない。すなわち、ｅＮＢ２００は、Ｄ２Ｄリソースの情報の送信元のｅＮＢと当該Ｄ２Ｄリソースの情報を転送する転送先のｅＮＢとが、Ｘ２インターフェイスを介した接続を確立しているか否かにかかわらず、当該Ｄ２Ｄリソースの情報を転送することができる。
【０１５５】
具体的には、ｅＮＢ２００Ａ、ｅＮＢ２００Ｂ及びｅＮＢ２００Ｃのそれぞれが互いに隣接ｅＮＢの関係にある、或いは、互いにＸ２インターフェイスを介した接続が確立されている場合に、ｅＮＢ２００Ａが、ｅＮＢ２００Ｂにおいて設定されたＤ２Ｄリソースの情報を、ｅＮＢ２００Ｃに送信してもよい。例えば、ｅＮＢ２００Ａは、ｅＮＢ２００ＢとｅＮＢ２００Ｃとの間にＸ２インターフェイスを介した接続が確立しているか否かを確認することなく、ｅＮＢ２００Ｂにおいて設定されたＤ２Ｄリソースの情報を、ｅＮＢ２００Ｃに送信できる。或いは、ｅＮＢ２００Ａは、ｅＮＢ２００ＢとｅＮＢ２００ＣとのＸ２インターフェイスを介した接続が一時的に確立できない場合に、ｅＮＢ２００Ｂの代わりに、当該情報をｅＮＢ２００Ｃに送信してもよい。
【０１５６】
なお、日本国特許出願第２０１４−０５９２７９号（２０１４年３月２０日出願）の全内容が、参照により、本願明細書に組み込まれている。
【産業上の利用可能性】
【０１５７】
以上のように、本実施形態に係る通信制御方法及び基地局によれば、オーバヘッドの増加を抑制しつつ、隣接でなく且つ異なるセルに在圏するユーザ端末間で、Ｄ２Ｄ近傍サービス用の無線信号を受信できるため、移動通信分野において有用である。
【図１】
0006532861.tif 000002
【図２】
0006532861.tif 000003
【図３】
0006532861.tif 000004
【図４】
0006532861.tif 000005
【図５】
0006532861.tif 000006
【図６】
0006532861.tif 000007
【図７】
0006532861.tif 000008
【図８】
0006532861.tif 000009
【図９】
0006532861.tif 000010